【手続補正書】
【提出日】平成19年8月22日(2007.8.22)
【手続補正１】
【補正対象書類名】明細書
【補正対象項目名】特許請求の範囲
【補正方法】変更
【補正の内容】
【特許請求の範囲】
【請求項１】  画像情報の入力を受けるための画像入力手段と、
この画像入力手段から入力された入力画像に対応する画像を、適用された表示器に表示するための画像表示手段と、
前記入力画像のアスペクト比と前記表示器のアスペクト比との対応関係に起因する水平方向又は垂直方向の少なくとも一方の拡大率に係るパラメータを、外部から設定可能なパラメータ設定手段と、
前記設定パラメータに基づいて当該画像の、水平方向又は垂直方向の少なくとも一方の拡大率に対応する補間係数データを生成する補間係数データ生成手段と、
前記補間係数データを用い、前記入力画像に対して前記拡大率に対応する補間処理を行い、前記表示器に表示される画像を生成する補間処理手段とを備える画像表示装置。
【請求項２】  前記補間係数データ生成手段は、当該画像の中心から周辺にかけて水平方向又は垂直方向の少なくとも一方における拡大率を複数の領域に個別に設定すべく複数の分割領域を設定するための領域分割手段と、該領域分割手段により分割設定された複数の分割領域に対して各々適用されるべき拡大率を設定する拡大率設定手段と、該拡大率設定手段の出力に基づいて前記水平方向又は垂直方向の少なくとも一方における補間係数データを演算する補間係数演算手段とを備えていることを特徴とする請求項１に係る画像表示装置。
【請求項３】  前記補間係数データ生成手段は、中心から周辺にかけて水平方向又は垂直方向の少なくとも一方における拡大率を複数の領域に個別に設定すべく複数の分割領域を設定するための領域分割手段と、該領域分割手段により分割設定された複数の分割領域に対して各々適用されるべき画素間隔を設定する画素間隔設定手段と、該画素間隔設定手段の出力に基づいて前記水平方向又は垂直方向の少なくとも一方における補間係数データを演算する補間係数演算手段とを備えていることを特徴とする請求項１に係る画像表示装置。
【請求項４】  前記領域分割手段は、水平方向又は垂直方向のアドレスの少なくとも一方のアドレスと、前記設定パラメータとに基づいて、前記複数の分割領域を設定するように構成されていることを特徴とする請求項２又は３に係る画像表示装置。
【請求項５】  前記拡大率設定手段は、前記領域分割手段により設定された分割領域に対応して、前記設定パラメータに基づいて前記拡大率を設定するように構成されていることを特徴とする請求項２に係る画像表示装置。
【請求項６】  前記画素間隔設定手段は、前記領域分割手段により設定された分割領域に対応して、前記設定パラメータに基づいて前記画素間隔を各々設定するように構成されていることを特徴とする請求項３に係る画像表示装置。
【手続補正２】
【補正対象書類名】明細書
【補正対象項目名】０００８
【補正方法】変更
【補正の内容】
【０００８】
【課題を解決するための手段】
上記問題点を解決するため請求項１に係る発明は、画像情報の入力を受けるための画像入力手段と、この画像入力手段から入力された入力画像に対応する画像を、適用された表示器に表示するための画像表示手段と、前記入力画像のアスペクト比と前記表示器のアスペクト比との対応関係に起因する水平方向又は垂直方向の少なくとも一方の拡大率に係るパラメータを、外部から設定可能なパラメータ設定手段と、前記設定パラメータに基づいて当該画像の、水平方向又は垂直方向の少なくとも一方の拡大率に対応する補間係数データを生成する補間係数データ生成手段と、前記補間係数データを用い、前記入力画像に対して前記拡大率に対応する補間処理を行い、前記表示器に表示される画像を生成する補間処理手段とを備えて画像表示装置を構成するものである。
【手続補正３】
【補正対象書類名】明細書
【補正対象項目名】００１０
【補正方法】変更
【補正の内容】
【００１０】
そして、このような構成の請求項１に係る発明においては、パラメータ設定手段でパラメータを任意に設定し、補間係数データ生成手段は設定されたパラメータを用いて補間係数データを生成し、補間処理手段は生成された補間係数データを用いて補間処理を行う。このように、設定パラメータを用いて補間係数データを生成することにより、当該画像の水平方向又は垂直方向の少なくとも一方の表示形態を任意に設定することが可能となる。
【手続補正４】
【補正対象書類名】明細書
【補正対象項目名】００１１
【補正方法】変更
【補正の内容】
【００１１】
請求項２に係る発明は、請求項１に係る画像表示装置において、前記補間係数データ生成手段は、当該画像の中心から周辺にかけて水平方向又は垂直方向の少なくとも一方における拡大率を複数の領域に個別に設定すべく複数の分割領域を設定するための領域分割手段と、該領域分割手段により分割設定された複数の分割領域に対して各々適用されるべき拡大率を設定する拡大率設定手段と、該拡大率設定手段の出力に基づいて前記水平方向又は垂直方向の少なくとも一方における補間係数データを演算する補間係数演算手段とを備えていることを特徴とするものである。
【手続補正５】
【補正対象書類名】明細書
【補正対象項目名】００１４
【補正方法】変更
【補正の内容】
【００１４】
請求項３に係る発明は、請求項１に係る画像表示装置において、前記補間係数データ生成手段は、中心から周辺にかけて水平方向又は垂直方向の少なくとも一方における拡大率を複数の領域に個別に設定すべく複数の分割領域を設定するための領域分割手段と、該領域分割手段により分割設定された複数の分割領域に対して各々適用されるべき画素間隔を設定する画素間隔設定手段と、該画素間隔設定手段の出力に基づいて前記水平方向又は垂直方向の少なくとも一方における補間係数データを演算する補間係数演算手段とを備えていることを特徴とするものである。
【手続補正６】
【補正対象書類名】明細書
【補正対象項目名】００１７
【補正方法】変更
【補正の内容】
【００１７】
請求項４に係る発明は、請求項２又は３に係る画像表示装置において、前記領域分割手段は、水平方向又は垂直方向のアドレスの少なくとも一方のアドレスと、前記設定パラメータとに基づいて、前記複数の分割領域を設定するように構成されていることを特徴とするものである。
【手続補正７】
【補正対象書類名】明細書
【補正対象項目名】００１９
【補正方法】変更
【補正の内容】
【００１９】
そして、このように構成された請求項４に係る画像表示装置においては、領域分割手段は、パラメータ設定手段で設定されたパラメータを用いて、当該画像の水平方向又は垂直方向の少なくとも一方を任意の領域に分割することが可能となる。
【手続補正８】
【補正対象書類名】明細書
【補正対象項目名】００２０
【補正方法】変更
【補正の内容】
【００２０】
請求項５に係る発明は、請求項２に係る画像表示装置において、前記拡大率設定手段は、前記領域分割手段により設定された分割領域に対応して、前記設定パラメータに基づいて前記拡大率を設定するように構成されていることを特徴とするものである。
【手続補正９】
【補正対象書類名】明細書
【補正対象項目名】００２１
【補正方法】変更
【補正の内容】
【００２１】
この請求項５に係る発明に関する実施の形態には、第１，第３及び第６の実施の形態が対応し、この発明における構成要件の「拡大率を設定するパラメータ」には、拡大率設定値が対応する。そして、このように構成された画像表示装置においては、拡大率設定手段は、パラメータ設定手段で設定されたパラメータを用いて、水平方向又は垂直方向の少なくとも一方の各々分割領域に対応する任意の拡大率を設定することが可能となる。
【手続補正１０】
【補正対象書類名】明細書
【補正対象項目名】００２２
【補正方法】変更
【補正の内容】
【００２２】
請求項６に係る発明は、請求項３に係る画像表示装置において、前記画素間隔設定手段は、前記領域分割手段により設定された分割領域に対応して、前記設定パラメータに基づいて前記画素間隔を各々設定するように構成されていることを特徴とするものである。
【手続補正１１】
【補正対象書類名】明細書
【補正対象項目名】００２４
【補正方法】変更
【補正の内容】
【００２４】
そして、このように構成された画像表示装置においては、画素間隔設定手段は、パラメータ設定手段で設定されたパラメータを用いて、水平方向又は垂直方向の少なくとも一方の各々の分割領域に対応する任意の画素間隔を設定することが可能となる。
【手続補正１２】
【補正対象書類名】明細書
【補正対象項目名】００６６
【補正方法】変更
【補正の内容】
【００６６】
パラメータ設定手段103 で設定される画素間隔初期値は、レジスタ305 に格納される。また、水平方向アドレスがレジスタ305 に格納される画素間隔初期値に対応する値となったときは、ロード条件検出回路がロード条件を生成し、カウンタ307 はロード条件検出回路306 で生成されるロード条件を検出すると、レジスタ305 に格納される画素間隔初期値をロードする。また、カウンタ307 は拡大率増加点比較回路303 で生成されるカウントアップ条件を検出すると、出力データである画素間隔をカウントアップし、拡大率減少点比較回路304 で生成されるカウントダウン条件を検出すると、出力データである画素間隔をカウントダウンする。
【手続補正１３】
【補正対象書類名】明細書
【補正対象項目名】００８４
【補正方法】変更
【補正の内容】
【００８４】
【発明の効果】
以上実施の形態に基づいて説明したように、請求項１に係る発明によれば、パラメータ設定手段によって設定された設定パラメータを用いて任意の水平方向又は垂直方向の少なくとも一方の拡大率に対応する補間係数データを生成するようにしているので、水平方向又は垂直方向の少なくとも一方の表示手法を任意に設定することが可能な画像表示装置を実現することができる。請求項２及び３に係る発明によれば、請求項１に係る画像表示装置において、任意の補間係数データを容易に演算することが可能となる。請求項４に係る発明によれば、請求項２又は３に係る画像表示装置において、パラメータ設定手段で設定されたパラメータを用いて、拡大率又は画素間隔設定のために水平方向又は垂直方向の少なくとも一方を任意の領域に容易に分割することが可能となる。請求項５に係る発明によれば、請求項２に係る画像表示装置において、パラメータ設定手段で設定されたパラメータを用いて、水平方向又は垂直方向の少なくとも一方の各々の分割領域に対応する任意の拡大率を設定することが可能となる。請求項６に係る発明によれば、請求項３に係る画像表示装置において、パラメータ設定手段で設定されたパラメータを用いて、水平方向又は垂直方向の少なくとも一方の各々の分割領域に対応する任意の画素間隔を設定することが可能となる。